(57)【要約】      （修正有）【課題】ＬＡＮに接続されたＮＡＳ間でのデータの転送を、ＰＣが介在せずにＮＡＳ間で直接転送する。【解決手段】ＮＡＳ１は、ＰＣ１２からのデータ転送元及びデータ転送先を含む設定情報を受信し、メモリに記憶する。ＮＡＳ１は、メモリに記憶されている設定情報に基づき他のＮＡＳ２１にアクセスし、ＮＡＳ１のストレージ部６とＮＡＳ２１のストレージ部２１ａ間でデータの転送を直接行う。ＰＣ１２は、データの転送には関与しなくてもよくなるため、ＮＡＳ１、２１間でのデータ転送中に他の処理を円滑に行うことができる。また、その間ＰＣの電源もオフにすることができる。【選択図】図５
2019197357.tif 000002
【特許請求の範囲】
【請求項１】
ネットワークに接続されるストレージ装置であって、
メモリと、
データを格納するストレージ部と、
前記ネットワークを介して通信する通信部と、
前記メモリ、前記ストレージ部及び前記通信部を制御する制御部を備え、
前記制御部は、
前記通信部を介して端末装置から転送先又は転送元となる他のストレージ装置の設定情報を受け付けて前記メモリに格納し、
前記メモリに格納された設定情報に基づき前記通信部を制御し、前記ネットワークを介してストレージ装置との間で直接にデータの転送を実行させることを特徴とするストレージ装置。
【請求項２】
前記制御部は、前記設定情報に基づき、データの転送元を他のストレージ装置のストレージ部に、データの転送先を自装置のストレージ部とし、他のストレージ装置から自装置のストレージ部へ直接にデータを転送する請求項１記載のストレージ装置。
【請求項３】
前記制御部は、前記設定情報に基づき、自装置のストレージ部に転送されたデータのアクセス権を設定する請求項２に記載のストレージ装置。
【請求項４】
前記設定情報は、データの転送元である他のストレージ装置のストレージ部の第１のディレクトリと、データの転送先として自装置のストレージ部の第２のディレクトリの情報を含み、前記制御部は、前記第１のディレクトリから前記第２のディレクトリへデータを転送する請求項２または３いずれか１項に記載のストレージ装置。
【請求項５】
前記制御部は、前記設定情報に基づき、データの転送元を自装置とし、データの転送先を他のストレージ装置のストレージ部とし、自装置のストレージ部から他のストレージ装置のストレージ部へ直接にデータを転送する請求項１記載のストレージ装置。
【請求項６】
前記制御部は、前記設定情報に基づき、他のストレージ装置のストレージ部に転送されたデータのアクセス権を設定する請求項５に記載のストレージ装置。
【請求項７】
前記設定情報は、データの転送元である自装置のストレージ部の第３のディレクトリと、データ転送先である他のストレージ装置の第４のストレージ部のディレクトリの情報を含み、前記制御部は、前記第３のディレクトリから前記第４のディレクトリへデータを転送する請求項５または６いずれか１項に記載のストレージ装置。
【請求項８】
前記制御部はウェブサーバ機能を実行し、前記端末装置よりウェブユーザインタフェースを介して設定情報を受け付ける請求項１乃至７いずれか１項に記載のストレージ装置。
【発明の詳細な説明】
【技術分野】
【０００１】
この発明はネットワークに接続されるストレージ装置（ＮＡＳ(Network Attached Storage)）に関し、ネットワーク上に接続されている他のストレージ装置との間で、パーソナルコンピュータ（以下ＰＣという）等を介在させることなく、ストレージ装置間で直接にデータを転送させることができるストレージ装置に関する。
【背景技術】
【０００２】
ＵＳＢ（Universal Serial Bus）ストレージ機器において、いわゆるダイレクトコピー機能が知られている（特許文献１）。このＵＳＢストレージ機器のＵＳＢ−ＡポートにＵＳＢデバイス機器を接続し、スイッチを押すとＵＳＢデバイス機器内のデータがＵＳＢストレージ機器に転送され、データをＵＳＢストレージ機器で保存することができる。
【先行技術文献】
【特許文献】
【０００３】
【特許文献１】特許第４３８１０３６号
【発明の概要】
【発明が解決しようとする課題】
【０００４】
近年、ＬＡＮ（Local Area Network）に接続できるストレージ装置（以下ＮＡＳと略称する場合がある）が知られている。ＮＡＳは、ネットワークインタフェースとストレージ部を備え、分散ファイルシステムのストレージとして、ファイルの共有等に使用されている。ＮＡＳ間でファイルをコピー又は移動する際には、ＰＣ等で２つのＮＡＳのディレクトリ（フォルダ）をファイラーで開き、フォルダやファイルをマウスでドラッグすることなどにより実行することができる。
【０００５】
上述の方法では、一つのＮＡＳからデータをＰＣへ転送し、ＰＣがさらに他のＮＡＳへデータを転送するため、データの転送中はＰＣに負荷がかかり、他の処理の速度が遅くなる問題があった。特に、古いＮＡＳから新しいＮＡＳにデータ移行するような場合には、大量のデータを転送しなければならず、時間がかかってしまう問題があった。また、データ転送中は、ＰＣの電源をオフにすることができないので、データ転送のためだけにＰＣを動作させなければならず、省エネルギー上の問題もある。
【０００６】
上述の先行技術では、ＵＳＢデバイス機器をＵＳＢストレージ装置の特定のポートに接続することにより、データの転送元とデータの転送先が一義的に決まる。しかし、ＬＡＮ上には３以上のＮＡＳが存在する場合があり、どのＮＡＳとどのＮＡＳとの間でデータを転送したらよいかはＮＡＳ間では一義的には決まらない。
【０００７】
この発明は上記に鑑みなされたものであり、ＰＣ等を介在させることなくＮＡＳ間でデータの転送を可能とするＮＡＳの提供を目的としている。
【課題を解決するための手段】
【０００８】
この発明の第１の観点に係るストレージ装置は、ネットワークに接続されるストレージ装置であって、メモリと、データを格納するストレージ部と、前記ネットワークを介して通信する通信部と、前記メモリ、前記ストレージ部及び前記通信部を制御する制御部を備えている。前記制御部は、通信部を介して端末装置から転送先又は転送元となる他のストレージ装置の設定情報を受け付けて前記メモリに格納し、前記メモリに格納された設定情報に基づき前記通信部を制御し、前記ネットワークを介してストレージ装置との間で直接データの転送を実行させる。なお、「データの転送」は、「データの複製」・「データの移動」を含むものとする。また、「転送元」又は「転送先」となる他のストレージ装置は複数である場合も含む。
【０００９】
この発明の第２の観点に係るストレージ装置は、前記制御部は、前記設定情報に基づき、データの転送元を他のストレージ装置のストレージ部に、データの転送先を自装置のストレージ部とし、他のストレージ装置から自装置へ直接にデータを転送する。
【００１０】
この発明の第３の観点に係るストレージ装置は、前記制御部は、前記設定情報に基づき自装置のストレージ部に転送されたデータのアクセス権を設定する。
【００１１】
この発明の第４の観点に係るストレージ装置は、前記設定情報が、データの転送元である他のストレージ装置のストレージ部の第１のディレクトリと、データの転送先として自装置のストレージ部の第２のディレクトリの情報を含み、前記制御部は、前記第１のディレクトリから前記第２のディレクトリへデータを転送する。
【００１２】
この発明の第５の観点に係るストレージ装置は、前記制御部は、前記設定情報に基づき、データの転送元を自装置のストレージ部とし、データの転送先を他のストレージ装置のストレージ部とし、自装置のストレージ部から他のストレージ装置のストレージ部へ直接にデータを転送する。
【００１３】
この発明の第６の観点に係るストレージ装置は、前記制御部は、前記設定情報に基づき他のストレージ装置のストレージ部に転送されたデータのアクセス権を設定する。
【００１４】
この発明の第７の観点に係るストレージ装置は、データの転送元である自装置のストレージ部の第３のディレクトリと、データ転送先である他のストレージ装置の第４のストレージ部のディレクトリの情報を含み、前記制御部は、前記第３のディレクトリから前記第４のディレクトリへデータを転送する
【００１５】
この発明の第８の観点に係るストレージ装置は、前記制御部はウェブサーバ機能を実行し、前記端末装置よりウェブユーザインタフェース（Web User Interface）を介して設定情報を受け付ける。
【発明の効果】
【００１６】
第１の観点に係るストレージ装置では、ＰＣなどの端末装置からストレージ装置のメモリにデータの転送元とデータの転送先を含む設定情報を記憶させておけば、ストレージ装置の制御部がメモリに格納された設定情報に基づいて、ストレージ装置間のデータ転送を直接行うことができる。その間、前記端末装置は、前記データ転送に関与することはなく、他の処理を実行することができ、前記端末装置においてユーザのその他の作業を円滑に進めることができる。あるいは、前記端末装置の電源をオフにしておくこともできる。
【００１７】
第２の観点に係るストレージ装置では、前記設定情報に基づき、データの転送元を他のストレージ装置に、データの転送先を自装置（この発明のストレージ装置）とし、他のストレージ装置のストレージ部から自装置のストレージ部へ直接にデータを転送する。例えば、この発明のストレージ装置を新たに導入してネットワークに接続し、従前よりあった他のストレージ装置からネットワークを介してデータを移行する場合などに便利である。
【００１８】
第３の観点に係るストレージ装置では、自装置のストレージ部に転送されたデータのアクセス権を設定するので、データ転送後にアクセス権を設定する手間が省ける。また、第４の観点に係るストレージ装置では、データ転送元の他のストレージ装置の第１のディレクトリと、テータ転送先である自装置のストレージ部の第２のディレクトリを指定してデータの転送を行なうことができ、他のストレージ装置から一部のデータを自装置に移行する場合に便利である。
【００１９】
第５の観点に係るストレージ装置では、前記設定情報に基づき、データの転送元を自装置（この発明のストレージ装置）とし、データの転送先を他のストレージ装置とし、自装置のストレージ部から他のストレージ装置のストレージ部へ直接にデータを転送する。例えば、新たな他のストレージ装置を導入しネットワークに接続し、この発明のストレージ装置からデータをネットワークを介して他のストレージ装置に移行する場合などに便利である。
【００２０】
第６の観点に係るストレージ装置では、他のストレージ装置のストレージ部に転送されたデータのアクセス権を設定できるので、データ転送後に他のストレージ装置のアクセス権を設定する手間を省くことができる。第７の観点に係るストレージ装置では、データの転送元である自装置（この発明のストレージ装置）のストレージ部の第３のディレクトリと、データ転送先である他のストレージ装置の第４のディレクトリを指定してデータを転送できるので、他のストレージ装置へ一部のデータを移行する場合に便利である。
【００２１】
第８の観点に係るストレージ装置では、ウェブユーザインタフェースを介して設定情報を受け付けるため、端末装置はブラウザさえ備えておれば、種類を問わず前記設定情報をストレージ装置に送信することができる。
【図面の簡単な説明】
【００２２】
【図１】この発明の実施の形態に係るストレージ装置がＬＡＮに接続される状態を説明する図である。
【図２】同ストレージ装置の構成を説明するブロック図である。
【図３】同ストレージ装置がＰＣのブラウザに提供する画面を示す図である。
【図４】転送元となるフォルダの選択画面を示す図である。
【図５】端末装置、転送元ストレージ装置、転送先ストレージ装置間での信号のやり取りを示す図である。
【発明を実施するための形態】
【００２３】
この発明の実施の形態に係るストレージ装置を、図１〜図５を参照しながら説明する。この実施の形態に係るストレージ装置はＬＡＮに接続すると共に、無線ＬＡＮアクセスポイントとして無線ＬＡＮにより端末装置と接続可能となっている。図１は、実施の形態にかかるストレージ装置（以下ＮＡＳと呼ぶ）１がＬＡＮ１１に接続された状態を示している。ＬＡＮ１１は、ＩＥＥＥ（The Institute of Electrical and Electronics Engineers）８０２．３に準拠するネットワークである。このＬＡＮ１１上には、他のストレージ装置としてＮＡＳ２１、２２、端末装置としてＰＣ１２，１３、１４が接続されている。ＬＡＮに接続される１１に接続されるＮＡＳやＰＣの数はこれに限定されるものではない。また、以下の説明では端末装置としてＰＣを例にあげるが、スマートフォンやタブレット端末であっても構わない。
【００２４】
図２は、ＮＡＳ１の構成を説明するブロック図である。符号２は、ＳｏＣ（System on  a Chip）であり、図示しない１又は２以上のＣＰＵ（Central Processing Unit）コア、メモリコントローラ、各種Ｉ／Ｏを一つのチップの上に形成したデバイスである。ＳｏＣ２には、ＤＤＲＳＤＲＡＭ（Double-Data-Rate Synchronous Dynamic Random Access Memory）３、ＳＤメモリカード４、ＲＡＩＤモジュール５、ＨＤＤ６ａ、６ｂ、ＲＴＣ（Real Time Clock）７、ＰＨＹチップ８、無線ＬＡＮモジュール９、冷却ファン１０が接続されている。
【００２５】
ＤＤＲＳＤＲＡＭ３は、ＳｏＣ２内のＣＰＵコアのワークエリアとなり、各種プログラムや処理中のデータが展開される。ＳｏＣ２には、ＳＤメモリカード４がコネクタ４ａを介して接続される。ＳＤメモリカード４は、内部に不揮発性メモリであるフラッシュメモリを内蔵しており、ＯＳ（Operating System）、各種アプリケーション及び設定データが記憶されている。ＳｏＣ２が起動するとき、ＣＰＵコアは、ＯＳ，各種アプリケーションを読み出し、ＤＤＲＳＤＲＡＭ４に展開する。各種アプリケーションとしては、ファイル共有アプリケーション、ファイル転送アプリケーション、ウェブサーバアプリケーション、ウィルススキャンアプリケーションなどがある。
【００２６】
ＳｏＣ２には、ＲＡＩＤ（Redundant Arrays of Inexpensive Disks）モジュール５が接続される。ＲＡＩＤモジュール５には、ＳＡＴＡ（Serial Advanced Technology Attachment）インタフェースによりＨＤＤ６ａ及びＨＤＤ６ｂが接続される。ＲＡＩＤモジュール５は、２台のＨＤＤ６ａ，ＨＤＤ６ｂの間でミラーリングを行い、２台のＨＤＤ６ａ，６ｂでデータを分散保存することにより冗長性を高めている（ＲＡＩＤ＿１）。ＲＡＩＤモジュール５とＨＤＤ６ａ，ＨＤ６ｂにより、ストレージ部６が構成される。
【００２７】
すなわち、ＨＤＤ６ａ、ＨＤＤ６ｂには全く同じデータが格納され、一方のＨＤＤが故障しても他方のＨＤＤでＮＡＳとしての運用を続けることができる。ここでは、２台のＨＤＤを使用した場合を例にあげたが、３台のＨＤＤでトリプルミラーリングを行い、さらに冗長性を高めてもよい。また、３台以上のＨＤＤの場合には、パリティ分散記録により冗長性を保ちつつＨＤＤの使用効率を上げるようにしてもよい（ＲＡＩＤ＿５）。なお、ＨＤＤに代えてＳＳＤ（Solid State Disk）を採用することもできる。
【００２８】
ＲＴＣ７は、ＳｏＣ２に日時情報を出力する。ＲＴＣ７は電池７ａが接続されており、ストレージ装置１の電源がオフにされていても、ＲＴＣ７は電池７ａにより計時動作を継続する。
【００２９】
ＰＨＹチップ８は、論理的な信号と物理的な信号との間の変換を行うチップで、ＳｏＣ２に接続される。ＰＨＹチップ８はＬＡＮケーブルによりＬＡＮ１１に接続される。ＬＡＮ１１上には、ＰＣ１２、１３、１４及び他のＮＡＳ２１，２２が接続し、互いにＬＡＮ１１を介して通信することができる。
【００３０】
無線ＬＡＮモジュール９は、ＩＥＥＥ（The Institute of Electrical and Electronics Engineers, Inc.）８０２．１１ａ、ａｃ、ｂ、ｇ、ｎ等の規格に準拠し、インフラストラクチャー・モードのアクセスポイントとして機能する。無線ＬＡＮモジュールに子機（ステーション）として接続したＰＣ１５もＮＡＳ１と通信ができる。
【００３１】
冷却ファン１０は、ＮＡＳ１内を空気で冷却するもので、図示しない温度センサで検出された温度に応じた回転数で回転する。冷却ファン１０からは、冷却ファンが回転していることを示す信号がＳｏＣ２に出力される。ＳｏＣ２は、この信号より冷却ファン１０が制御した通りに回転しているか監視することができる。
【００３２】
次に、ＮＡＳ１の動作について図３〜図５を参照しながら説明する。以下の説明では、ディレクトリとしてフォルダを、データとしてファイルを例に挙げる。また、ＰＣ１２からの設定情報に従い、ＮＡＳ２１のストレージ部２１ａ内の共有フォルダＸからＮＡＳ１のストレージ部６内の共有フォルダＡにファイルをコピーする場合を説明する。
【００３３】
管理権限を持つユーザ（Admin）が、ＰＣ１２からブラウザを使用してＮＡＳ１にログインしたとする（図５、Ｓ１）。その後、ユーザが機器設定画面を要求すると機器設定画面の構成ファイルがＰＣ１２に送信される（Ｓ２，Ｓ３）。ＰＣ２１のブラウザは受信した構成ファイルを描画し、ＰＣ１２の図示しないディスプレイに表示する。ユーザがＰＣ１２を操作してさらにバックアップ設定画面を要求し、バックアップ設定画面の構成ファイルを受信すると、ブラウザはバックアップ設定画面を表示する（図示略）。
【００３４】
バックアップ設定画面からネットワークダイレクトコピー（以下ＮＤＣと略称する）を選択すると、ＰＣ１２のブラウザからＮＤＣ設定画面の要求をＮＡＳ１に送信する（Ｓ４）。ＮＡＳ１は、ＮＤＣ設定画面の構成ファイルをＰＣ１２に送信する（Ｓ５）。ＮＤＣ構成ファイルを受信したＰＣ１２のブラウザは、ＮＤＣ設定画面を描画して図示しないディスプレイに表示する。
【００３５】
図３は、ブラウザのウィンドウ３０に表示されたＮＤＣ設定画面３１を示している。図３中、符号３２はメニューリストであり、機器設定メニューのバックアップ設定メニューが選択されていることを表している。また、符号３３はパンくずリストであり、機器設定＞バックアップ設定＞ネットワークダイレクトコピーと階層的に示されている。
【００３６】
符号３４ａ，３４ｂ，３４ｃはそれぞれ実行ボタン、初期化ボタン、戻るボタンである。「実行」ボタン３４ａは、入力された設定情報に従いＮＤＣを実行させるためのボタンである。初期化ボタン３４ｂは、入力された設定情報をクリアするボタンである。戻るボタン３４ｃは、上の階層であるバックアップ設定に戻るためのボタンである。
【００３７】
符号３５は、ＮＤＣのコピー元を設定するための入力欄群である。コピー元の候補として、図１に示したシステムではＮＡＳ２１及びＮＡＳ２２がある。ここでは、ＮＡＳ２１を選択し、ＮＡＳ２１のＩＰアドレスを欄３５ａに入力する。また、ユーザ名欄３５ｂ、パスワード欄３５ｃにそれぞれユーザ名、パスワードを入力する。符号３６は、コピーリスト欄で、コピー元となる共有フォルダの設定３６ａとコピー先となる共有フォルダの設定３６ｂが示されている。共有フォルダを設定するには、それぞれ参照ボタン３６ｃ、３６ｄを押して共有フォルダ選択画面を表示し、共有フォルダを選択できる。
【００３８】
ここではコピー元共有フォルダの選択について説明する。参照ボタン３６ｃを押すと図４に示すような、ＮＡＳ２１内の共有フォルダリストがポップアップ４０で表示される。符号４１は、コピー元となるＮＡＳを特定する情報が示される欄である。図４では、欄４１は理解を容易にするため「ＮＡＳ２１」と表示しているが、実際にはＮＡＳ２１のＩＰアドレスで表示される。符号４２は共有フォルダのリストであり、ここでは３つの共有フォルダＸ，Ｙ，Ｚが表示されている。マウスなどの操作で、共有フォルダを選択することができる。図４では選択フォルダＸが選択された状態を示している。
【００３９】
ここで右上にある２つのボタン４３，４４のうち、ＯＫボタン４３が押されると共有フォルダＹが選択された状態でポップアップ画面が閉じ、ＮＤＣ設定画面３１に戻る。この場合、欄３６ａには、共有フォルダＸが選択されたことが反映される。閉じるボタン４４が押されると、共有フォルダＸの選択は無効とされＮＤＣ設定画面３１に戻る。
【００４０】
コピー先共有フォルダについての、参照ボタン３６ｄを押すことでＮＡＳ１内の共有フォルダのリストがポップアップされ（図示略）、同様に共有フォルダを選択することができる。図３のＮＤＣ設定画面３１には、共有フォルダＡが選択されたことが反映されている。
【００４１】
符号３７ｃには、登録されたコピー元共有フォルダ、コピー先共有フォルダが表示される。欄３６にコピー先共有フォルダＸ、コピー元共有フォルダＡが表示されている状態で追加ボタン３７ａを押すと、欄３７ｃに、コピー元共有フォルダＸ、コピー先共有フォルダＡが追加される。図３は追加された状態が反映されたＮＤＣ設定画面を示している。欄３７ｃには、コピー元共有フォルダ、コピー先共有フォルダを複数登録することができる。一方、欄３７ｃの先頭のチェックボックスにチェックを入れて、削除すると登録されていた情報（コピー元共有フォルダＸ、コピー先共有フォルダＡ）削除される。
【００４２】
符号３８は、ＮＡＳ１にコピーされた共有フォルダの所有者とアクセス権限を設定する欄である。入力欄３８ａは所有者名を入力する欄で、右端のプルダウンボタンを押すことにより、登録されたユーザの一覧が表示されその中から所有者ユーザを選択できる。
【００４３】
符号３８ｂ及び３８ｃはラジオボタンであり、ラジオボタン３８ｂを選択すると、コピーされた共有フォルダについて、全ユーザ／グループアクセス可能となる。ラジオボタン３８ｃを選択するとコピーされた共有フォルダについてアクセス制限が掛けられる。その場合には、詳細設定３８ｄの所の「＋」をマウスでクリックすることにより、アクセス制限の詳細設定の入力欄が展開される（図示せず）。
【００４４】
図３の状態で、実行ボタン３４ａが押されると、ＰＣ１２よりＮＡＳ１にコピー元共有フォルダＸ、コピー先共有フォルダＡのＮＤＣ設定情報が送信される。ＳｏＣ２は、受信したＮＤＣ設定情報をＤＤＲＳＤＲＡＭ３に記憶し、タスクのキューにＮＤＣを追加する。ＳｏＣ２は、他のタスク、例えばウィルススキャンアプリケーションにより、ファイルのウィルススキャンを行っている場合には、それが終わってからＮＤＣを実行する。
【００４５】
まず、ＮＡＳ１はＮＡＳ２１に、ユーザ名とパスワードを含む接続要求を送信する（Ｓ７）。ＮＡＳ２２は、ユーザ名とパスワードで認証処理を行い、認証できた場合には接続応答をＮＡＳ２１に送信する（Ｓ８）。
接続応答を受信したＮＡＳ１は、ファイルの存在確認要求をＮＡＳ２１に送信する（Ｓ９）。ファイルの存在確認要求を受信したＮＡＳ２１は、共有フォルダＸ内のファイルの存在を確認し、確認ができた場合にはファイル存在確認応答をＮＡＳ１に送信する（Ｓ１０）。
【００４６】
次に、ＮＡＳ１はファイルの読み込み要求をＮＡＳ２１に送信する。ＮＡＳ２１は、ストレージ部２１ａ内の共有フォルダＸよりファイルを読み出し、送信する（ファイル読み込み応答：Ｓ１２）。ＮＡＳ１は、受信したファイルをストレージ部６内の共有フォルダＡに書き込む。
【００４７】
上記Ｓ９〜Ｓ１２の処理は、コピーするファイルの数だけ繰り返される。ＮＡＳ１は、すべてのファイルのコピーができたと判定すると、接続終了要求をＮＡＳ２１に送信する（Ｓ１３）。ＮＡＳ２１は、接続終了要求を受信すると、接続終了応答をＮＡＳ１に送信する。ＮＡＳ１は、ＮＡＳ２１から接続終了応答を受信すると、ＮＤＣが正常に完了したことを、図示しないログに記録する。また、ＮＡＳ１はＰＣ１２に、ＮＤＣの完了通知を送信する（Ｓ１５９）。ＰＣ１２は、ＮＤＣ完了通知を受信すると、例えばポップアップでディスプレイに表示する。なお、ＮＤＣ実行中に何らかのエラーが発生した場合には、ログに記録すると共に、エラーをＰＣ１２に通知する。
【００４８】
ファイル転送は、ＮＡＳ１とＮＡＳ２１との間で行われ、ＰＣ１２はファイル転送自体には全く関与しない。従って、ＰＣ１２はファイル転送の間に他の処理を円滑に行なうことができる。また、ファイル転送の間、ＰＣの電源をオフにしておくこともできる。
【００４９】
上記ファイル転送では、コピー元共有フォルダＸからコピー先共有フォルダＡの一つのタスクだけを実行するようにしたが、例えばコピー元共有フォルダＹから共有先フォルダＢへのファイルコピーなど複数のコピータスクをまとめてＮＡＳ１に指示することもできる。
【００５０】
また、上記ファイル転送では、ＮＡＳ２１からＮＡＳ１へのファイルのコピーについて説明した。しかし、複数のＮＡＳからＮＡＳ１へのファイルのコピーを一つのＮＤＣ設定で行なうことができる。例えば、図３に示す状態で、ＩＰアドレス入力欄３５ａにＮＡＳ２２のＩＰアドレスを入力し、ユーザ名入力欄３５ｂにユーザ名、パスワード入力欄３５ｃにパスワードを入力したとする。そして、コピー元としてＮＡＳ２２のストレージ部の共有フォルダＷを選択し、コピー先としてストレージ部６の共有フォルダＢを選択したとする。この状態で追加ボタン３７ａ押すと、欄３７ｃに「□  コピー元（リモートＮＡＳ）の共有フォルダＷ  コピー先（ローカルＮＡＳ）の共有フォルダＢ」が追加される。
【００５１】
この状態で実行ボタン３４ａを押すと、ＮＡＳ２１の共有フォルダＸからＮＡＳ１の共有フォルダへのファイルのコピー、ＮＡＳ２２の共有フォルダＷからＮＡＳ１の共有フォルダＢへのファイルのコピーが順番に行なわれる。ここではコピー元として２つのＮＡＳ２１，２２の例をあげたが、３以上のＮＡＳをコピー元として設定することもできる。
【００５２】
さらに、上記ファイル転送では、ＮＡＳ２１からＮＡＳ１へのファイルのコピーについて説明した。しかし、ＮＡＳ１からＮＡＳ２１へファイルのコピーをすることもできる。この場合、設定画面３１で「コピー元の設定」を「コピー先の設定」に切り替えられるようにするとよい。この場合にも、コピー先のフォルダのアクセス権を設定できるようにしてもよい。また、
【００５３】
加えて、ＮＡＳ１を新しくＬＡＮ１１に接続した場合には、他のＮＡＳのファイル全てをコピーするように構成してもよい。ＮＡＳ間のコピーは、管理者権限を有するユーザが行えるよう構成したが、他のユーザが行えるよう構成してもよい。
【符号の説明】
【００５４】
１：ＮＡＳ
２：ＳｏＣ
３：ＤＤＲＳＤＲＡＭ
４：ＳＤメモリカード
５：ＲＡＩＤモジュール
６：ストレージ部
６ａ、６ｂ：ＨＤＤ
８：ＰＨＹ
１１：ＬＡＮ
１２、１３、１４、１５：ＰＣ
２１、２２：ＮＡＳ
２１：ストレージ部
３１：設定画面
３５：コピー元入力欄
３６：コピーリスト
３８：所有者とアクセス権の入力欄
４２：共有フォルダリスト
【図１】
2019197357.tif 000003
【図２】
2019197357.tif 000004
【図３】
2019197357.tif 000005
【図４】
2019197357.tif 000006
【図５】
2019197357.tif 000007